(57)【特許請求の範囲】
【請求項１】
先端硬性部と、前記先端硬性部の基端に設けられた湾曲部と、前記湾曲部の基端に設けられた可撓管部とを有する内視鏡挿入部であって、
前記内視鏡挿入部内に挿通されたライトガイドと、
前記内視鏡挿入部内に挿通された複数のリード線と、
前記可撓管部内において、前記可撓管の軸方向において重ならないように前記複数のリード線に巻回された１本又は複数本のテープと、を有することを特徴とする内視鏡挿入部。
【請求項２】
前記１本又は複数本のテープは、束ねられた前記複数のリード線の軸方向に沿って、スパイラル状に前記複数のリード線に巻回されていることを特徴とする請求項１に記載の内視鏡挿入部。
【請求項３】
前記複数本のテープは、束ねられた前記複数のリード線の軸方向に沿って、互いに離間して巻回されていることを特徴とする請求項１に記載の内視鏡挿入部。
【請求項４】
前記１本又は複数本のテープは、熱硬化されたあるいは紫外線により硬化されたテープであることを特徴とする請求項１に記載の内視鏡挿入部。
【請求項５】
前記１本又は複数本のテープは、前記複数のリード線の前記可撓管部内に配設されている部分に巻回され、前記湾曲部内に配設されている部分には巻回されていないことを特徴とする請求項１に記載の内視鏡挿入部。
【請求項６】
前記請求項１に記載の内視鏡挿入部を有する内視鏡。
【発明の詳細な説明】
【技術分野】
【０００１】
本発明は、内視鏡挿入部及び内視鏡に関し、特に、挿入部内にライトガイドが挿通されている内視鏡挿入部及び内視鏡に関する。
【背景技術】
【０００２】
内視鏡が工業分野及び医療分野において広く利用されている。内視鏡は、細長の挿入部を有し、挿入部は、先端から、先端硬性部、湾曲部及び可撓管部を有して構成されている。【０００３】
先端硬性部には、観察窓と照明窓が設けられている。照明窓から出射された照明光により照明された被写体からの反射光は、観察窓を通して受光される。受光した光から被写体の内視鏡画像が生成されて、モニタに表示することによって、ユーザは被写体を観察することができる。【０００４】
さらに、ユーザは、操作部に設けられた湾曲操作部材を操作することによって、挿入部の湾曲部を所望の方向に湾曲させて、被写体の所望の領域を観察したり、可撓管部を配管などの中へ押し込むことによって先端硬性部を観察対象の奥を観察したりすることができる。【０００５】
挿入部内には、例えば、日本国特開２０１０−６８８９１号公報に開示のように、各種信号線及びライトガイドが挿通されている。  
複数のリード線も束ねられて、保護用の薄いテープが巻回され、挿入部内に挿通されている。【０００６】
しかし、挿入部が観察対象内で曲がったり、湾曲部が湾曲動作したりしたとき、各種信号線及びライトガイドは挿入部内において挿入部の軸方向に沿って移動するが、複数のリード線にテープが巻回されていると、テープに皺が入って折れ癖が付く場合がある。【０００７】
これは、テープは、極めて薄いため、皺が入り易く、かつリード線の軸方向に沿って互いに重なるようにスパイラル状に巻回されているため、一旦折れ癖がつくと、その折れ癖は元にもどらないからである。そのため、折れ癖の付いた部分と挿入部の内壁あるいは信号ケーブルとの間、あるいは折れ癖の付いた部分とライトガイドの外表面との間の摩擦抵抗が大きくなって、リード線の動きだけでなく、挿入部内におけるライトガイドの動きが阻害され、最悪の場合、ライトガイドが折れてしまうという問題がある。【０００８】
そこで、本発明は、挿入部内に挿通される複数のリード線に巻回されたテープへの折れ癖が付き難くして、ライトガイドの折れの発生を防止する内視鏡挿入部及び内視鏡を提供することを目的とする。
【発明の開示】
【課題を解決するための手段】
【０００９】
本発明の一態様の内視鏡挿入部は、先端硬性部と、前記先端硬性部の基端に設けられた湾曲部と、前記湾曲部の基端に設けられた可撓管部とを有する内視鏡挿入部であって、前記内視鏡挿入部内に挿通されたライトガイドと、前記内視鏡挿入部内に挿通された複数のリード線と、前記可撓管部内において、前記可撓管の軸方向において重ならないように前記複数のリード線に巻回された１本又は複数本のテープと、を有する。【００１０】
本発明の一態様の内視鏡は、本発明の内視鏡挿入部を有する。
【図面の簡単な説明】
【００１１】
【図１】本発明の実施の形態に係わる内視鏡装置の構成を示す構成図である。
【図２】本発明の実施の形態に係わる、挿入部の模式的な構成図である。
【図３】本発明の実施の形態に係わる、粘着テープが巻回された一対のリード線の側面図である。
【図４】図３のＩＶ−ＩＶ線に沿った断面図である。
【図５】リード線に巻回された粘着テープの折れ癖を説明するための模式図である。
【図６】挿入部内における、折れ癖部を有する粘着テープが巻回された一対のリード線と、ライトガイドと、信号線部の状態を示す模式図である。
【図７】本発明の実施の形態に係わる、粘着テープが巻回された一対のリード線の作用を説明するための、一対のリード線の軸方向に沿った模式的断面図である。
【図８】本発明の実施の形態に係わる、リード線が撮像部用ケーブルとライトガイドの間で挟まれる状態になる場合の例を説明するための模式図である。
【図９】本発明の実施の形態に係わる、リード線の一部分が、撮像部用ケーブルとライトガイドの間を通り抜けて挟まれている状態を示す模式的な斜視図である。
【図１０】本発明の実施の形態に係わる、湾曲部内に挿通されている部分にも粘着テープが巻回されている状態を示す、挿入部の模式的な構成図である。
【図１１】本発明の実施の形態に係わる、複数本の粘着テープを一対のリード線の軸方向に沿って、離間して設けた、一対のリード線の側面図である。
【図１２】図１１のＸ−Ｘ線に沿った断面図である。
【発明を実施するための最良の形態】
【００１２】
以下、図面を参照して本発明の実施の形態を説明する。  
なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。【００１３】
（内視鏡装置の構成）
図１は、本実施の形態に係わる内視鏡装置の構成を示す構成図である。【００１４】
図１に示すように、内視鏡装置１は、内視鏡２と、内視鏡２に接続された装置本体３とを有して構成されている。  
内視鏡２は、細長で可撓性を有する挿入部４と、挿入部４の基端部に接続された操作部５と、操作部５から延出されたユニバーサルケーブル６とを具備して構成されている。【００１５】
挿入部４は、挿入部４の先端側から順に、先端硬性部７と、湾曲部８と、長尺な可撓管部９とが連設されており、可撓管部９の基端部には操作部５が接続されている。  
ここでは、可撓管部９は、操作部５に対して接続されて固定されているが、操作部５に対して着脱可能であってもよい。【００１６】
すなわち、挿入部４は、先端硬性部７と、先端硬性部７の基端に設けられた湾曲部８と、湾曲部８の基端に設けられた可撓管部９とを有する内視鏡挿入部を構成する。そして、挿入部４内には、後述するように、ライトガイド、信号ケーブル及び複数のリード線が挿通されている。【００１７】
先端硬性部７には、光学アダプタ１０が、矢印Ａで示すように装着可能となっている。光学アダプタ１０は、先端硬性部７に着脱可能に装着される。光学アダプタ１０には、様々な種類があるため、光学アダプタ１０には、種類識別用の抵抗器１０ａ（図２参照）が内蔵されている。【００１８】
湾曲部８は、操作部５に設けられたジョイスティック５ａの操作により、例えば上下左右の４方向に湾曲可能となっている。なお、操作部５には、ジョイスティック５ａの他、先端硬性部７内に設けられた撮像素子（図示せず）による撮影動作等を指示する各種スイッチ等も設けられている。【００１９】
装置本体３は、例えば箱状を有しており、外装筐体に、内視鏡２により撮像された内視鏡画像を表示するモニタが設けられている。【００２０】
（挿入部の構成）
図２は、挿入部４の模式的な構成図である。【００２１】
挿入部４の先端硬性部７内には、対物光学系及び撮像素子を含む撮像部７ａが設けられ固定されている。  
挿入部４内には、内蔵物としての、撮像部７ａ用の電源線及び信号線を含む撮像部用ケーブル１１、ライトガイド１２及び一対のリード線２１が、挿通されている。一対のリード線２１は、識別抵抗線であり、光学アダプタ１０の種類識別用の抵抗器１０ａへの電源供給用である。【００２２】
撮像部用ケーブル１１は、撮像部７ａへの電源線、駆動信号及び撮像信号の供給のための信号線を含む。撮像部用ケーブル１１の先端は、撮像部７ａの撮像素子及び回路に接続されている。撮像部用ケーブル１１の基端は、操作部５及びユニバーサルケーブル６を介して、装置本体３内の各種回路に接続されている。【００２３】
ライトガイド１２は、光ファイバ束からなる。ライトガイド１２の先端は、先端硬性部７内の照明窓の後側に配置され固定されている。ライトガイド１２の基端は、操作部５及びユニバーサルケーブル６を介して、装置本体３内の光源に接続されている。【００２４】
図３は、粘着テープが巻回された一対のリード線の側面図である。図４は、図３のＩＶ−ＩＶ線に沿った断面図である。図４は、粘着テープが巻回された一対のリード線の断面を示す。なお、図４では、粘着テープ２２は一対のリード線２１の外周部に巻回されているが、３本以上のリード線の外周部に巻回されるものでもよい。【００２５】
各リード線２１は、導電性を有する銅等の、１本あるいは複数の金属線を有し、１本あるいは複数の金属線２１ａが絶縁性樹脂２１ｂにより被覆されて構成されている。  
図３に示すように、一対のリード線２１は束ねられて、粘着テープ２２が、一対のリード線２１の周囲に螺旋状に巻回されている。粘着テープ２２は、一対のリード線２１を保護するためのテープである。粘着テープ２２は、１本のテープで、一対のリード線２１に巻回されている。【００２６】
すなわち、１本の粘着テープ２２は、可撓管部９内において、可撓管９の軸方向において重ならないように複数（ここでは２本）のリード線２１にスパイラル状に巻回されている。より具体的には、１本の粘着テープ２２は、束ねられた複数（ここでは２本）のリード線２１の軸方向に沿って、重ならないようにスパイラル状に複数のリード線２１に巻回されている。【００２７】
粘着テープ２２は、数十ミクロン、例えば０．０２５ｍｍの厚さで、片面に粘着剤が塗布されている。図４に示すように、粘着剤層２２ａが、リード線２１の外周面に密着するように、粘着テープ２２は、一対のリード線２１に巻回されている。【００２８】
そして、粘着テープ２２は、図３に示すように、束ねられて撚られた一対のリード線２１の軸Ｃ０の方向において巻回された粘着テープ２２が重ならないように、かつ巻回された隣り合う粘着テープ２２同士が離間して配置されるように、粘着テープ２２が、一対のリード線２１の周囲に軸Ｃ０の方向に沿って螺旋状に巻回されている。  
粘着テープ２２は、一対のリード線２１に巻回した後、熱あるいは紫外線等により硬化させている。すなわち、粘着テープ２２は、熱硬化されたあるいは紫外線により硬化されたテープである。【００２９】
粘着テープ２２が硬化すると、図３に示したように、曲げの力が一対のリード線２１の横方向から挿入部４に掛かったときに、粘着テープ２２の巻かれた部分が粘着テープ２２が巻かれていない部分ＧＡよりもより硬くなるので、粘着テープ２２が巻かれていない部分ＧＡが曲がり易くなる。【００３０】
また、粘着テープ２２は、挿入部４の可撓管部９内に配設された一対のリード線２１には巻回されているが、図２に示すように、粘着テープ２２は、湾曲部８内では、一対のリード線２１には巻回されていない。言い換えれば、可撓管部９内の一対のリード線２１のみに粘着テープ２２が巻回されている。【００３１】
すなわち、粘着テープ２２は、複数のリード線２１の可撓管部９内に配設されている部分に巻回され、湾曲部８内に配設されている部分には巻回されていない。【００３２】
（作用）
はじめに、本実施の形態の作用を説明する前に、従来のテープの折れ皺の発生について説明する。【００３３】
図５は、リード線に巻回された粘着テープの折れ癖を説明するための模式図である。幅Ｗの粘着テープ１０１が束ねられて撚られた一対のリード線１０２の軸に沿ってスパイラル状に巻回されている。粘着テープ１０１は、保護用の薄いテープであり、巻回された粘着テープ１０１は、図５に示すように、幅ｄの部分が重なった重なり領域１０３を有している。【００３４】
そして、粘着テープ１０１は薄いため挿入部が曲げられたときに皺が入りやすく、かつ一旦粘着テープ１０１に皺が入ると、その皺の部分は、粘着テープ１０１の折れ癖部１０４となる。【００３５】
図６は、挿入部内における、折れ癖部を有する粘着テープが巻回された一対のリード線と、ライトガイドと、信号線部の状態を示す模式図である。なお、図６では、粘着テープ１０１が巻回された一対のリード線１０２は、１本の太い線で示されている。【００３６】
挿入部１０５は、先端から先端硬性部１０６、湾曲部１０７及び可撓管部１０８を有している。挿入部１０５内には、粘着テープ１０１が巻回された一対のリード線１０２と、ライトガイド１０９と、撮像素子などのための信号ケーブル１１０が挿通されている。一対のリード線１０２は、例えば、先端硬性部１０６の先端に装着される光学アダプタの識別用の一対のリード線である。【００３７】
挿入部１０５は細長くかつ外径も小さいため、挿入部１０５内の空間には、一対のリード線１０２とライトガイド１０９と信号ケーブル１１０は、近接して配置されている。折れ癖部１０４は、ライトガイド１０９若しくは信号ケーブル１１０の側面、又は挿入部１０５の内壁を押圧する。例えば、挿入部１０５の外径が４ｍｍで、挿入部１０５の内径が２ｍｍであるとき、その挿入部１０５内、それぞれの外形が１ｍｍのライトガイド１０９及び信号ケーブル１１０と、最大外径部が０．６ｍｍの一対のリード線１０２が配設される。【００３８】
よって、ライトガイド１０９が折れ癖部１０４によって押圧されて挿入部１０５の軸方向の動きが阻害されると、挿入部１０５の曲げあるいは湾曲部１０７の湾曲のときに、ライトガイド１０９には軸方向に沿った圧縮力あるいは引っ張り力が掛かる。【００３９】
ライトガイド１０９は、このような圧縮力が掛ったときには折れ易く、さらに、引っ張り力と同時にライトガイド１０９の軸に直交する方向からの圧迫力とが同時に掛かったときにも折れ易い。  
すなわち、複数のリード線に巻回されたテープに折れ癖が付くと、その折れ癖によって、挿入部の軸方向に沿った動きが阻害され、最悪の場合は、ライトガイドが折れてしまう。【００４０】
次に、上述した本実施の形態の作用について説明する。  
図３に示したように、粘着テープ２２は、重ならないようにかつ離間して一対のリード線２１にスパイラル状に巻回されている。そのため、一対のリード線２１において、粘着テープ２２が巻かれていない部分ＧＡが、粘着テープ２２が巻かれている部分よりも、曲がり易い。【００４１】
よって、挿入部４が曲がったときに、一対のリード線２１は粘着テープ２２が巻かれている部分では曲がらず、粘着テープ２２が巻かれていない部分ＧＡで曲がるので、粘着テープ２２に折れ癖が付き難くなる。【００４２】
図７は、本実施の形態の粘着テープが巻回された一対のリード線の作用を説明するための、一対のリード線の軸方向に沿った模式的断面図である。  
束ねられた一対のリード線２１の軸回りには、粘着テープ２２が重ならないように巻回されている。図３及び図７に示すように、一対のリード線２１には、軸方向において、粘着テープ２２が巻かれていない部分ＧＡが存在する。【００４３】
そのため、図７に示すように、曲げの力Ｆが一対のリード線２１の横方向から挿入部４に掛かったときに、粘着テープ２２が巻かれていない部分ＧＡは、柔らかいので、粘着テープ２２が巻かれていない部分ＧＡが曲がり、粘着テープ２２に皺が入り難い。その結果、折れ癖が一対のリード線２１に巻かれた粘着テープ２２に付き難い。【００４４】
粘着テープ２２に折れ癖が付かなければ、ライトガイド１２あるいは撮像部用ケーブル１１の側面が粘着テープ２２の折れ癖部により押圧されることがないので、挿入部４の軸方向におけるライトガイド１２の動きが阻害されることがなくなり、ライトガイド１２の折れの発生を防止することになる。【００４５】
挿入部４の軸方向に沿ったライトガイド１２の動きが阻害されたときに、ライトガイド１２に、軸方向に圧縮力が掛かって、ライトガイド１２が折れる場合がある。しかし、上述した実施の形態によれば、粘着テープ２２に折れ癖が付かないので、ライトガイド１２に、軸方向に圧縮力が掛かり難くなり、結果としてライトガイド１２の折れの発生を防止することになる。【００４６】
また、挿入部４の軸方向に沿ったライトガイド１２の動きが阻害されたときに、ライトガイド１２に、軸方向に引っ張り力が掛かる場合がある。引っ張り力が掛かっただけでは、ライトガイド１２が直ぐに折れることはないが、引っ張り力が掛かった部分が横方向から圧迫されると、ライトガイド１２が折れる場合がある。挿入部４の曲げが繰り返されるとき、上述したリード線が、撮像部用ケーブル１１とライトガイド１２の間で挟まれる状態になる場合があり、そのような状態において、ライトガイド１２に軸方向に引っ張り力が掛かると、ライトガイド１２の折れが発生する。【００４７】
図８は、リード線が撮像部用ケーブルとライトガイドの間で挟まれる状態になる場合の例を説明するための模式図である。図８は、説明のために、湾曲部８内における撮像部用ケーブル１１と、ライトガイド１２と、１本のリード線２１のみを示している。  
図８において状態ＳＳ１として示すように、撮像部用ケーブル１１、ライトガイド１２及びリード線２１は、湾曲部８の内部空間８ａ内に、互いに平行に配設されている。【００４８】
湾曲部８の内側には、上下左右方向に、湾曲部８を湾曲させるための湾曲ワイヤを挿通するための４つのワイヤガイド３１Ｕ、３１Ｒ、３１Ｄ、３１Ｌが設けられている。ジョイスティック５ａの操作により、例えば上下左右の４方向に湾曲するための湾曲ワイヤ（図示せず）が牽引あるいは弛緩される。湾曲部８を上方向へ湾曲させるようにジョイスティック５ａを操作すると、ワイヤガイド３１Ｕに挿通された湾曲ワイヤが牽引され、ワイヤガイド３１Ｄに挿通された湾曲ワイヤは弛緩することにより、湾曲部８は、上方向に湾曲する。同様に、湾曲部８を下、左あるいは右方向へ湾曲させるようにジョイスティック５ａを操作すると、その湾曲方向に対応する各湾曲ワイヤが牽引されあるいは弛緩することにより、湾曲部８は、下、左あるいは右方向に湾曲する。  
例えば、湾曲部８の湾曲動作が行われるときに、状態ＳＳ１に示すように、リード線２１は張った状態で、撮像部用ケーブル１１とライトガイド１２の間の隙間に寄る場合がある。【００４９】
状態ＳＳ１から、例えば、先端硬性部７の動きに応じて、撮像部用ケーブル１１が矢印Ｂ１で示すように軸回りに回動すると、状態ＳＳ２で示すように、その回動に応じて、矢印Ｂ２で示すように、リード線２１が動いて撮像部用ケーブル１１とライトガイド１２の間に挟まってしまう。【００５０】
さらに、先端硬性部７の動きによって撮像部用ケーブル１１が捩られると、矢印Ｂ１で示す撮像部用ケーブル１１の回動と共に、撮像部用ケーブル１１とライトガイド１２の間の隙間が矢印Ｃ１で示すように狭くなるので、その結果、状態ＳＳ３で示すように、撮像部用ケーブル１１とライトガイド１２により挟まれたリード線２１の部分が、矢印Ｃ２で示すように撮像部用ケーブル１１とライトガイド１２の間の隙間を通り抜けてしまう場合がある。【００５１】
図９は、リード線２１の一部分が、撮像部用ケーブル１１とライトガイド１２の間を通り抜けて挟まれている状態を示す模式的な斜視図である。  
図９に示すように、リード線２１の一部が撮像部用ケーブル１１とライトガイド１２の間の隙間を通り抜けると、リード線２１の撮像部用ケーブル１１とライトガイド１２によって挟まれているリード線２１の部分は、撮像部用ケーブル１１とライトガイド１２によって押圧力が掛かる場合がある。【００５２】
ライトガイド１２の側面におけるリード線２１を押圧する部分は、リード線２１への押圧力の反力として、横方向から圧迫する力を受ける。上述したように、ライトガイド１２は、軸方向に沿った引っ張り力と、横方向から圧迫する力とを同時に受けると、折れ易い。【００５３】
しかし、上述したように、一対のリード線２１は、粘着テープ２２が巻かれていない部分で曲がり易く、粘着テープ２２に折れ癖が付き難いので、ライトガイド１２の挿入部４の軸方向の動きが阻害されることがなくなる。すなわち、リード線２１の一部が撮像部用ケーブル１１とライトガイド１２によって挟まれるような状態にあっても、ライトガイド１２は、挿入部４の軸方向において動き易い。その結果、ライトガイド１２には、軸方向に沿った引っ張り力の発生が起こり難くなり、ライトガイド１２は折れ難い。【００５４】
また、本実施の形態では、湾曲部８内に配設される一対のリード線２１には、粘着テープ２２が巻回されていない。これは、図９に示すように、１本のリード線２１が撮像部用ケーブル１１とライトガイド１２によって挟まれる状態になったときでも、粘着テープ２２が巻かれていないリード線２１は、粘着テープ２２が巻かれたものよりも径は小さいため、ライトガイド１２の受ける圧迫力は小さい。【００５５】
以上のように、上述した実施の形態によれば、挿入部内に挿通される複数のリード線に巻回されたテープへの折れ癖が付き難くして、ライトガイドの折れの発生を防止する内視鏡挿入部及び内視鏡を提供することができる。【００５６】
なお、上述した実施の形態では、リード線保護用のテープは、光学アダプタ１０の種類識別用の抵抗器１０ａへの電源供給用の一対のリード線であるが、挿入部４内に挿通される他の目的の複数のリード線に巻回されてもよい。すなわち、リード線保護用のテープが巻回されるのは、挿入部４内に挿通される他の目的のリード線でもよい。  
また、上述した実施の形態では、複数のリード線に巻回されるテープは、熱あるいは紫外線等により硬化されているが、熱あるいは紫外線等により硬化しなくてもよい。【００５７】
さらにまた、上述した実施の形態では、複数のリード線は、挿入部４の湾曲部８及び可撓管部９内に挿通され、かつテープが巻回されているのは、一対のリード線２１の可撓管部９内に挿通されている部分だけであるが、湾曲部８内に挿通されている部分にもテープが巻回されていてもよい。【００５８】
図１０は、湾曲部８内に挿通されている部分にも粘着テープ２２が巻回されている状態を示す、挿入部４の模式的な構成図である。  
図１０に示すように、粘着テープ２２は、一対のリード線２１の、湾曲部８及び可撓管部９内に挿通されている部分にも巻回されている。【００５９】
このような構成によっても、挿入部内に挿通される複数のリード線を保護するテープに折れ癖が付き難い内視鏡挿入部及び内視鏡を提供することができる。  
また、上述した実施の形態では、１本の粘着テープ２２が一対のリード線２１に離間的に巻回されているが、複数本の粘着テープ２２を、一対のリード線２１に離間的に配設するようにしてもよい。【００６０】
図１１は、複数本の粘着テープ２２を一対のリード線２１の軸方向に沿って、離間して設けた、一対のリード線の側面図である。図１２は、図１１のＸ−Ｘ線に沿った断面図である。【００６１】
すなわち、複数本のテープ２２が、束ねられた複数のリード線２１の軸方向に沿って、互いに離間して巻回されている。  
なお、図１１の各テープも、熱あるいは紫外線等により硬化されてもよい。【００６２】
さらになお、図１１の複数本のテープも、可撓管部内の複数のリード線だけに巻回されていてもよいし、湾曲部８内の複数のリード線にも巻回されていてもよい。  
図１１に示すように、１本の粘着テープ２２をスパイラル状に巻回しなくても、複数の粘着テープ２２を別々に離間して一対のリード線２１の軸方向に沿って、離間して設けてもよい。【００６３】
本発明は、上述した実施の形態に限定されるものではなく、本発明の要旨を変えない範囲において、種々の変更、改変等が可能である。【００６４】
本出願は、２０１６年７月１３日に日本国に出願された特願２０１６−１３８７３１号を優先権主張の基礎として出願するものであり、上記の開示内容は、本願明細書、請求の範囲に引用されるものとする。
【図１】
0006590450.tif 000002
【図２】
0006590450.tif 000003
【図３】
0006590450.tif 000004
【図４】
0006590450.tif 000005
【図５】
0006590450.tif 000006
【図６】
0006590450.tif 000007
【図７】
0006590450.tif 000008
【図８】
0006590450.tif 000009
【図９】
0006590450.tif 000010
【図１０】
0006590450.tif 000011
【図１１】
0006590450.tif 000012
【図１２】
0006590450.tif 000013